(57)【要約】【課題】  遊戯場で隣接して整列設置されるタイプの個人遊戯装置（例、パチンコ装置）で遊戯している場合、隣りの客の濃いタバコの煙が流れて来て、不快感を与えるのみならず、健康上でも悪影響を与えるという問題点があった。【解決手段】  個人遊戯装置１の正面両横には縦方向に開口部２を設け、背面には電動の送風部６を設ける。そして、スイッチ３のオンにより送風部６で生成させた空気流を、まずパイプ５により背面に沿って開口部２の後方位置に導き、ついで導風部８によりパチンコ装置１の中を通って開口部２へと導く。すると、開口部２から空気が吹き出され、隣接する個人遊戯装置との間に小さなエアカーテンが形成される。このエアカーテンにより、隣からタバコの煙が流れて来たり、こちらからタバコの煙が流れて行ったりすることが阻止される。【選択図】        図１
0003110156.tif 000002
【実用新案登録請求の範囲】
【請求項１】
遊戯場で隣接して整列設置されるタイプの個人遊戯装置において、
該個人遊戯装置の正面両横に縦方向に設けられた開口部と、
該個人遊戯装置の背面に設けられ、空気を吸い込んで空気流を生成する電気駆動の送風部と、
一端が該送風部に接続され、生成された空気流を該個人遊戯装置の背面に沿って前記開口部の後方位置に導くためのパイプと、
該パイプの他端から該個人遊戯装置の中を通って前記開口部へと前記空気流を導くための導風部と、
該個人遊戯装置の正面に設置され、前記送風部の作動，停止を操作するスイッチと
を具え、
前記送風部で生成した空気流を前記開口部から吹き出させ、隣接する個人遊戯装置との間にエアカーテンを作るようにした
ことを特徴とする個人遊戯装置。
【請求項２】
遊戯場で隣接して整列設置されるタイプの個人遊戯装置において、
該個人遊戯装置の正面両横に縦方向に設けられた開口部と、
前記個人遊戯装置の背面の位置であって、前記開口部の後方に当たる位置にそれぞれ対応させて設けられ、空気を吸い込んで空気流を生成する電気駆動の送風部と、
該送風部で生成された空気流を、該送風部から前記個人遊戯装置の中を通って対応する前記開口部へと導くための導風部と、
前記個人遊戯装置の正面に設置され、前記送風部の作動，停止を操作するスイッチと
を具え、
前記送風部で生成した空気流を前記開口部から吹き出させ、隣接する個人遊戯装置との間にエアカーテンを作るようにした
ことを特徴とする個人遊戯装置。
【請求項３】
スイッチがオンされてから所定時間後に、送風部への給電を停止するタイマを設けたことを特徴とする請求項１または２記載の個人遊戯装置。
【請求項４】
開口部に風向を上下方向に調節可能とする整流具を装着したことを特徴とする請求項１または２記載の個人遊戯装置。
【請求項５】
複数個の開口を縦方向に設けることにより開口部を構成したことを特徴とする請求項１または２記載の個人遊戯装置。
【考案の詳細な説明】
【技術分野】
【０００１】
本考案は、パチンコ装置やパチスロ装置のような、遊戯場で隣接して整列設置されるタイプの個人遊戯装置に関するものである。
【背景技術】
【０００２】
パチンコ装置やパチスロ装置のような個人遊戯装置を設置している遊戯店では、通常、それらの装置は、間近に隣接させて何十台，何百台と整列設置されている。従って、隣の装置で遊んでいる客との距離は、個人遊戯装置の幅とほぼ同じ程度の僅かな距離となっている。
このような遊戯店に来るお客の目的は、言うまでもなくリラックスしながら遊戯を楽しむことであろうから、タバコの好きなお客は、タバコを喫いながら遊戯を楽しんでいることが多い。
【考案の開示】
【考案が解決しようとする課題】
【０００３】
（問題点）
個人遊戯装置を設置している遊戯店においては、隣り合わせの客の一方がタバコを喫う場合、その煙は他方の客の方に流れて行き、その客に不快な思いをさせるのみならず、その客の健康をも害するという問題点があった。
【０００４】
（問題点の説明）
個人遊戯装置を設置している遊戯店における客と客との距離は、前記したように僅かなものであるので、隣の客が喫うタバコの煙は、濃い状態でこちらの顔のあたりに流れて来ることがしばしばである。それが鼻や目に入ると、タバコ嫌いな人は勿論、タバコ好きの人でさえ不快感を催すのが普通である。そして、タバコの煙が顔等の皮膚にかかると、それだけで健康に害を与えることは、今では広く知られている事実である。
本考案は、以上のような問題点を解決することを課題とするものである。
【課題を解決するための手段】
【０００５】
前記課題を解決するため、本考案では、遊戯場で隣接して整列設置されるタイプの個人遊戯装置において、該個人遊戯装置の正面両横に縦方向に設けられた開口部と、該個人遊戯装置の背面に設けられ、空気を吸い込んで空気流を生成する電気駆動の送風部と、一端が該送風部に接続され、生成された空気流を該個人遊戯装置の背面に沿って前記開口部の後方位置に導くためのパイプと、該パイプの他端から該個人遊戯装置の中を通って前記開口部へと前記空気流を導くための導風部と、該個人遊戯装置の正面に設置され、前記送風部の作動，停止を操作するスイッチとを具え、前記送風部で生成した空気流を前記開口部から吹き出させ、隣接する個人遊戯装置との間にエアカーテンを作るようにした。
なお、前記開口部に風向を上下方向に調節可能とする整流具を装着するようにすることも出来る。また、前記開口部は、１つの縦長の開口で構成するのでなく、複数個の開口を縦方向に設けることにより構成してもよい。
【考案の効果】
【０００６】
本考案の個人遊戯装置によれば、下記１，２のような作用により、タバコの煙による不快感、および健康上の被害を軽減することが出来るという効果を奏する。
１．隣の客からタバコの煙が流れて来そうな場合には、個人遊戯装置の開口部から空気を吹き出させてエアカーテンを作り、煙が流れて来ないようにすることが出来る。
２．自分がタバコを喫う場合、個人遊戯装置の開口部から空気を吹き出させてエアカーテンを作り、タバコの煙が隣の客の方へ流れて行かないようにすることが出来る。
【考案を実施するための最良の形態】
【０００７】
以下、本考案の実施形態を図面に基づいて詳細に説明する。
図１は、本考案の個人遊戯装置の１例であるパチンコ装置を示す図である。図１において、１はパチンコ装置、２は開口部、３はスイッチ、４はハンドル、５はパイプ、６は送風部、７はプラグ、８は導風部、９は配線である。そして、図１（１）はパチンコ装置１の正面図，図１（２）は左側面図，図１（３）は背面図である。
【０００８】
ハンドル４は、パチンコの遊戯をする際、右手で回動操作してパチンコの玉を打ち出すためのハンドルであり、通常、パチンコ装置１の右下の位置に設けられている。開口部２は、パチンコ装置１の両横に、縦方向に設けられる。
パチンコ装置１の背面には、空気の流れを生成するための送風部６が設けられる。送風部６は、基本的には、モータとそれによって回されるファンとによって構成される。ファンとしては、回転軸と平行な方向（軸方向）に空気を流入させ、半径方向に流出させるタイプのファン（例、シロッコファン）を使用することが望ましい。
【０００９】
送風部６に一端が接続されたパイプ５は、パチンコ装置１の背面に沿い、開口部２の後方に当たる位置まで配設される。導風部８は、パイプ５の他端から、パチンコ装置１の内部を背面から前面へと通って、開口部２へと空気流を導く構造である。開口部２はパチンコ装置１の両横にそれぞれ設けられているから、パイプ５や導風部８もそれに対応させて設けられる。
プラグ７は送風部６に動作電源を供給するためのものであり、スイッチ３は送風部６の作動，停止を指示するためのスイッチである。スイッチ３は、遊戯しているお客が必要に応じて操作する。
【００１０】
図２は、本考案における電気回路を示す図である。符号は図１のものに対応し、６１はモータ、６２は連結軸、６３はファンである。
送風部６は、モータ６１と、ファン６３と、両者の回転軸を連結する連結軸６２とから構成される。プラグ７が商用電源のコンセントに差し込まれ、スイッチ３がオンされると、モータ６１に通電され、回転を始める。その回転は連結軸６２によりファン６３に伝えられるから、ファン６３も回転し、空気の流れを発生する。
【００１１】
図１で示した構造を見れば直ちに明らかなように、送風部６で生成された空気流は、送風部６→パイプ５→導風部８→開口部２という経路で流され、開口部２から外へと吹き出される。縦長の開口部２から吹き出される空気流は、パチンコ装置１の両横の所に、隣のパチンコ装置１との間を仕切るような、小さなエアカーテンを形成する形となる。
その結果、隣のお客のタバコの煙が流れて来ようとしても、それを阻止してくれる。逆に、自分がタバコを喫う場合、その煙が隣のお客の方へ流れて行くのを阻止してくれる。従って、個人遊戯装置に向かって並んで遊戯している際、隣のお客のタバコの煙により不快にされたり、健康を害されたりすることがなくなるし、逆に自分のタバコの煙で隣のお客に不快感等を与えたりすることがなくなる。
【００１２】
図１の実施形態では、送風部６は１個とし、そこから２つの開口部２へ空気流を供給しているが、開口部２のそれぞれに対応させて送風部６を設けてもよい。即ち、パチンコ装置１の背面上の位置であって、各開口部２の後方に（ほぼ真後ろに）当たる位置に送風部６を設ける。そして、１つの送風部６で発生した空気流は、対応する１つの開口部２へ導風部８を介して供給するのである（従って、この場合、パチンコ装置１の背面に沿って這うパイプ５は不用となる。）。
【００１３】
送風部６を操作するスイッチ３は、２つの送風部６をまとめて１個としてもよいし、各送風部６に対してそれぞれ設けてもよい。まとめて１個とした場合、スイッチ３をオンした場合、図１の場合と同様に両側の開口部２から同時に空気が吹き出し、２つのエアカーテンが形成される。
しかし、各送風部６に対して個別にスイッチを設けた場合、エアカーテンを片方だけに設けるということも出来る。例えば、右のお客からのタバコの煙を阻止したい場合、右側の開口部用のスイッチをオンし、右側にのみエアカーテンを形成することが出来る。つまり、左右それぞれに対し、個別に対応することが出来るようになるという利点を有している（両方のスイッチをオンすれば、勿論、両方にエアカーテンを形成できる）。
【００１４】
また、図２の電気回路に対してであるが、スイッチ３がオンされてから所定時間（通常、タバコ１本喫い終わるまでに要する時間。例えば５分程度の時間。）経過すると、回路をオフとするようなタイマーを挿設するようにしてもよい。このようにしておけば、お客がいちいちスイッチ３をオフとする手間をかけなくてもいいし、遊戯場がその日の営業を終わった後、お客がスイッチ３の切り忘れをしてはいないかを、店員が何百台もの個人遊戯装置をいちいち点検して回る必要もなくなる（所定時間たつと自動的にオフになってくれるから）。
【００１５】
図３は、送風方向を制御し得るようにした実施例を示す図である。符号は図１のものに対応し、１０は整流具、１１は風向である。
開口部２から吹き出す空気流の方向を、上下方向にいろいろ制御し得るようにすることも出来る。それは、開口部２の出口に、整流具１０を装着しておくことによって可能となる。整流具１０の基本的構造は、自動車のエアコンの吹き出し口に取り付けられているものと同じである。整流具１０には、風向を決める羽根を幾つも設けておき、その向きを手動で上下に調節して風向を変える。
図３（１）は風向１１をやや上向きとなるようにした場合を示し、図３（２）は正面に真っ直ぐな向きになるようにした場合を示し、図３（３）は風向１１をやや下向きとなるようにした場合を示している。
人により座高が違い、エアカーテンを生成したい位置も異なるから、上下の方向に風向が変えられるようにしておけば、多くのお客の好みに応えることが出来る。
【００１６】
図４は、開口部の設け方の他の例を示す図である。符号は図１のものに対応し、２１，２２は開口である。
図１で設けられていた開口部２は、縦に長い開口１個で構成されていた。しかし、開口部２に託されている役割は、縦方向に小さなエアカーテンを生成することである。従って、そのような役割を果たしてくれる形状であれば、他の形状であってもよい。そこで考えられたものが、図４に示すような例である。
図４（１）のパチンコ装置１の例では、開口部２は、縦長ではあるが短い開口２１を、間隔をおいて縦に複数個並べて構成したものである。
図４（２）のパチンコ装置１の例では、開口部２は、小さな円形の開口２２を、間隔をおいて縦に複数個並べて構成したものである。
これらのようにした場合でも、全体としては、やはり縦方向に小さなエアカーテンを生成することが出来る。
【００１７】
本考案によるパチンコ装置と従来のパチンコ装置との相違点を整理すると、次のような点である。
１．パチンコ装置１の正面の両横に、空気を吹き出させるための開口部２を設けた点
２．吹き出させるために空気の流れを作るための送風部６を設けた点
３．送風部６から開口部２へと空気を導くための構造（パイプ５，導風部８等）を設けた点
以上の説明では、パチンコ装置を例にとって説明して来たが、本考案は、パチスロ装置等同様タイプの個人遊戯装置についても、適用することが可能であることは言うまでもない。
【図面の簡単な説明】
【００１８】
【図１】本考案の個人遊戯装置の１例であるパチンコ装置を示す図
【図２】本考案における電気回路を示す図
【図３】送風方向を制御し得るようにした実施例を示す図
【図４】開口部の設け方の他の例を示す図
【符号の説明】
【００１９】
１…パチンコ装置、２…開口部、３…スイッチ、４…ハンドル、５…パイプ、６…送風部、７…プラグ、８…導風部、９…配線、１０…整流具、１１…風向、２１，２２…開口、６１…モータ、６２…連結軸、６３…ファン
【図１】
0003110156.tif 000003
【図２】
0003110156.tif 000004
【図３】
0003110156.tif 000005
【図４】
0003110156.tif 000006